【手続補正書】
【提出日】平成28年2月22日(2016.2.22)
【手続補正１】
【補正対象書類名】明細書
【補正対象項目名】００１１
【補正方法】変更
【補正の内容】
【００１１】
従って、本発明では、ユーザが所有する画像ファイルと当該ユーザと異なるユーザの画像ファイルとの関連性を示すことで、ユーザは自身の画像ファイルに関連性のある画像ファイルの特定に要する労力を軽減することが可能なファイル管理装置、ファイル管理システム、制御方法、プログラムを提供することを目的とする。
【手続補正２】
【補正対象書類名】明細書
【補正対象項目名】００１３
【補正方法】変更
【補正の内容】
【００１３】
上記目的を達成するための第一の発明は、撮影装置によって撮影して得られた画像ファイルを保管するファイル管理装置において、前記画像ファイルの所有者情報に対応して当該画像ファイルを記憶する画像ファイル記憶手段と、前記所有者情報に対応して前記所有者情報と異なる所有者情報を記憶する対応情報記憶手段と、前記対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、前記解析手段による解析に従って、前記所有者情報の画像ファイルに関連性のある前記異なる所有者情報の画像ファイルを決定する第１の決定手段と、前記第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、を備えたことを特徴とするファイル管理装置である。
【手続補正３】
【補正対象書類名】明細書
【補正対象項目名】００１４
【補正方法】変更
【補正の内容】
【００１４】
上記目的を達成するための第二の発明は、撮影装置によって撮影して得られた画像ファイルを受付けるクライアント端末と前記クライアント端末から送信された前記画像ファイルを管理するファイル管理装置とからなるファイル管理システムであって、前記クライアント端末は、所有者情報と、前記画像ファイルとの送信を行う送信手段と、前記ファイル管理装置の第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、を備え、前記ファイル管理装置は、前記送信手段によって送信された所有者情報と、前記画像ファイルとを受信する受信手段と、前記受信手段によって受信した所有者情報に対応して当該画像ファイルを記憶する記憶手段と、前記所有者情報に対応して前記異なる所有者情報を記憶する対応情報記憶手段と、前記対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、
前記解析手段による解析に従って、前記所有者情報の画像ファイルに関連性のある前記異なる所有者情報の画像ファイルを決定する第１の決定手段と、を備えたことを特徴とするファイル管理システムである。
【手続補正４】
【補正対象書類名】明細書
【補正対象項目名】００１５
【補正方法】変更
【補正の内容】
【００１５】
上記目的を達成するための第三の発明は、撮影装置によって撮影して得られた画像ファイルの所有者情報に対応して当該画像ファイルを記憶する画像ファイル記憶手段を備えたファイル管理装置の制御方法であって、前記所有者情報に対応して前記所有者情報と異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定ステップと、前記画像ファイル特定ステップによって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析ステップと、前記解析ステップによる解析に従って、前記所有者情報の画像ファイルに関連性のある前記異なる所有者情報の画像ファイルを決定する第１の決定ステップと、前記第１の決定ステップによって決定した前記所有者情報の画像ファイルと関連性のある前記異なる所有者情報の画像ファイルとの画像ファイル間の関連性を示すように当該画像ファイル間を対応付けて表示することを制御する表示ステップと、を実行することを特徴とするファイル管理装置の制御方法である。
【手続補正５】
【補正対象書類名】明細書
【補正対象項目名】００１６
【補正方法】変更
【補正の内容】
【００１６】
上記目的を達成するための第四の発明は、撮影装置によって撮影して得られた画像ファイルの所有者情報に対応して当該画像ファイルを記憶する画像ファイル記憶手段を備えたファイル管理装置において実行されるプログラムであって、前記ファイル管理装置を、前記所有者情報に対応して前記所有者情報と異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、前記解析手段による解析に従って、前記所有者情報の画像ファイルに関連性のある前記異なる所有者情報の画像ファイルを決定する第１の決定手段と、前記第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、して機能させることを特徴とするプログラムである。
【手続補正６】
【補正対象書類名】明細書
【補正対象項目名】００１７
【補正方法】変更
【補正の内容】
【００１７】
上記目的を達成するための第五の発明は、撮影装置によって撮影して得られた画像ファイルを受付けるクライアント端末と前記クライアント端末から送信された前記画像ファイルを管理するファイル管理装置とからなるファイル管理システムの制御方法であって、前記クライアント端末において、所有者情報と、前記画像ファイルとの送信を行う送信ステップと、前記ファイル管理装置の第１の決定ステップによって決定した前記所有者情報の画像ファイルと関連性のある前記異なる所有者情報の画像ファイルとの画像ファイル間の関連性を示すように当該画像ファイル間を対応付けて表示することを制御する表示ステップと、して実行し、前記ファイル管理装置において、前記送信ステップによって送信された所有者情報と、前記画像ファイルとを受信する受信ステップと、前記受信ステップによって受信した所有者情報に対応して当該画像ファイルを記憶する記憶ステップと、前記所有者情報に対応して前記異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定ステップと、前記画像ファイル特定ステップによって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析ステップと、前記解析ステップによる解析に従って、前記所有者情報の画像ファイルに関連性のある前記異なる所有者情報の画像ファイルを決定する第１の決定ステップと、を実行することを特徴とするファイル管理システムの制御方法である。
【手続補正７】
【補正対象書類名】明細書
【補正対象項目名】００１８
【補正方法】変更
【補正の内容】
【００１８】
上記目的を達成するための第六の発明は、撮影装置によって撮影して得られた画像ファイルを受付けるクライアント端末と前記クライアント端末から送信された前記画像ファイルを管理するファイル管理装置とからなるファイル管理システムにおいて実行されるプログラムであって、前記クライアント端末を、所有者情報と、前記画像ファイルとの送信を行う送信手段と、前記ファイル管理装置の前記ファイル管理装置の第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、して機能させ、前記ファイル管理装置を、前記送信手段によって送信された所有者情報と、前記画像ファイルとを受信する受信手段と、前記受信手段によって受信した所有者情報に対応して当該画像ファイルを記憶する記憶手段と、前記所有者情報に対応して前記異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、前記解析手段による解析に従って、前記所有者情報の画像ファイルに関連性のある前記異なる所有者情報の画像ファイルを決定する第１の決定手段と、して機能させることを特徴とするプログラムである。
【手続補正８】
【補正対象書類名】明細書
【補正対象項目名】００１９
【補正方法】変更
【補正の内容】
【００１９】
本発明によれば、ユーザが所有する画像ファイルと当該ユーザと異なるユーザの画像ファイルとの関連性を示すことが可能となるので、ユーザは自身の画像ファイルに関連性のある画像ファイルの特定に要する労力を軽減することができる、という効果を奏する。
【手続補正９】
【補正対象書類名】特許請求の範囲
【補正対象項目名】全文
【補正方法】変更
【補正の内容】
【特許請求の範囲】
【請求項１】
撮影装置によって撮影して得られた画像ファイルを保管するファイル管理装置において、
前記画像ファイルの所有者情報に対応して当該画像ファイルを記憶する画像ファイル記憶手段と、
前記所有者情報に対応して前記所有者情報と異なる所有者情報を記憶する対応情報記憶手段と、
前記対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、
前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、
前記解析手段による解析に従って、前記所有者情報の画像ファイルに関連性のある前記異なる所有者情報の画像ファイルを決定する第１の決定手段と、
前記第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、
を備えたことを特徴とするファイル管理装置。
【請求項２】
前記表示手段は、前記画像ファイル特定手段によって特定した前記所有者情報の画像ファイルを表示すると共に、前記第１の決定手段によって決定した前記所有者情報の画像ファイルと関連性のある前記異なる所有者情報の画像ファイルとの画像ファイル間の関連性を示すように当該画像ファイル間を対応付けて表示することを特徴とする請求項１に記載のファイル管理装置。
【請求項３】
前記第１の決定手段は、前記解析手段によって特定した前記所有者情報の顔情報が存在する前記異なる所有者情報の画像ファイルを、前記所有者情報の画像ファイルと関連性のある画像ファイルとして決定し、
前記表示手段は、前記所有者情報の顔情報が前記異なる所有者情報の画像ファイルに存在するとして関連性があると前記第１の決定手段によって決定した画像ファイルと、前記所有者情報の顔情報が前記異なる所有者情報の画像ファイルに存在するか否かによらず、関連性があると前記第１の決定手段によって決定した画像ファイルと、を識別して表示することを特徴とする請求項１または２に記載のファイル管理装置。
【請求項４】
前記解析手段は、前記所有者情報の画像ファイル及び前記所有者情報に対応しない前記所有者情報と異なる所有者情報に対応する画像ファイルに対して、前記所有者情報の画像ファイルに関連性のある前記異なる所有者情報の画像ファイルを特定するために解析を行い、
前記表示手段は、前記第１の決定手段によって決定した前記所有者情報の画像ファイルと関連性のある前記所有者情報に対応しない前記異なる所有者情報の画像ファイルと、前記所有者情報の画像ファイルとを対応付けることなく表示することを制御することを特徴とする請求項１乃至３の何れか１項に記載のファイル管理装置。
【請求項５】
前記所有者情報の経路の位置を示す経路情報を取得する取得手段と、
前記解析手段によって解析した前記取得手段によって取得した所有者情報の経路情報からの距離が所定の範囲内の撮影位置である前記画像ファイル特定手段によって特定した異なる所有者情報に対応する画像ファイルを、前記所有者情報に関連性のある前記異なる所有者情報の画像ファイルとして決定する第２の決定手段を備え、
前記第１の決定手段は、前記解析手段によって特定された前記所有者情報の画像ファイルの撮影情報を用いて、前記所有者情報の画像ファイルに関連性のある前記異なる所有者情報の画像ファイルを決定し、
前記表示手段は、前記第１の決定手段及び前記第２の決定手段によって決定した前記所有者情報の画像ファイルと関連性のある前記異なる所有者情報の画像ファイルとの画像ファイル間の関連性を示すように当該画像ファイル間を対応付けて表示することを制御することを特徴とする請求項１乃至４の何れか１項に記載のファイル管理装置。
【請求項６】
前記取得手段は、前記所有者情報の経路の位置及び当該位置における日時を含む経路情報を取得し、
前記表示手段は、前記経路情報、及び前記第２の決定手段によって決定された所有者情報の画像ファイルと関連性のある画像ファイルの位置情報を用いて、それぞれの画像ファイルを地図データに合わせて表示する、あるいは、前記経路情報の日時及び前記所有者情報の画像ファイルと関連性のある画像ファイルの撮影日時を用いて、それぞれの画像ファイルを時系列に表示することを選択して表示することを特徴とする請求項５に記載のファイル管理装置。
【請求項７】
撮影装置によって撮影して得られた画像ファイルを受付けるクライアント端末と前記クライアント端末から送信された前記画像ファイルを管理するファイル管理装置とからなるファイル管理システムであって、
前記クライアント端末は、
所有者情報と、前記画像ファイルとの送信を行う送信手段と、
前記ファイル管理装置の第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、
を備え、
前記ファイル管理装置は、
前記送信手段によって送信された所有者情報と、前記画像ファイルとを受信する受信手段と、
前記受信手段によって受信した所有者情報に対応して当該画像ファイルを記憶する記憶手段と、
前記所有者情報に対応して前記異なる所有者情報を記憶する対応情報記憶手段と、
前記対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、
前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、
前記解析手段による解析に従って、前記所有者情報の画像ファイルに関連性のある前記異なる所有者情報の画像ファイルを決定する第１の決定手段と、
を備えたことを特徴とするファイル管理システム。
【請求項８】
撮影装置によって撮影して得られた画像ファイルの所有者情報に対応して当該画像ファイルを記憶する画像ファイル記憶手段を備えたファイル管理装置の制御方法であって、
前記所有者情報に対応して前記所有者情報と異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定ステップと、
前記画像ファイル特定ステップによって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析ステップと、
前記解析ステップによる解析に従って、前記所有者情報の画像ファイルに関連性のある前記異なる所有者情報の画像ファイルを決定する第１の決定ステップと、
前記第１の決定ステップによって決定した前記所有者情報の画像ファイルと関連性のある前記異なる所有者情報の画像ファイルとの画像ファイル間の関連性を示すように当該画像ファイル間を対応付けて表示することを制御する表示ステップと、
を実行することを特徴とするファイル管理装置の制御方法。
【請求項９】
撮影装置によって撮影して得られた画像ファイルの所有者情報に対応して当該画像ファイルを記憶する画像ファイル記憶手段を備えたファイル管理装置において実行されるプログラムであって、
前記ファイル管理装置を、
前記所有者情報に対応して前記所有者情報と異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、
前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、
前記解析手段による解析に従って、前記所有者情報の画像ファイルに関連性のある前記異なる所有者情報の画像ファイルを決定する第１の決定手段と、
前記第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、
して機能させることを特徴とするプログラム。
【請求項１０】
撮影装置によって撮影して得られた画像ファイルを受付けるクライアント端末と前記クライアント端末から送信された前記画像ファイルを管理するファイル管理装置とからなるファイル管理システムの制御方法であって、
前記クライアント端末において、
所有者情報と、前記画像ファイルとの送信を行う送信ステップと、
前記ファイル管理装置の第１の決定ステップによって決定した前記所有者情報の画像ファイルと関連性のある前記異なる所有者情報の画像ファイルとの画像ファイル間の関連性を示すように当該画像ファイル間を対応付けて表示することを制御する表示ステップと、
して実行し、
前記ファイル管理装置において、
前記送信ステップによって送信された所有者情報と、前記画像ファイルとを受信する受信ステップと、
前記受信ステップによって受信した所有者情報に対応して当該画像ファイルを記憶する記憶ステップと、
前記所有者情報に対応して前記異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定ステップと、
前記画像ファイル特定ステップによって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析ステップと、
前記解析ステップによる解析に従って、前記所有者情報の画像ファイルに関連性のある前記異なる所有者情報の画像ファイルを決定する第１の決定ステップと、
を実行することを特徴とするファイル管理システムの制御方法。
【請求項１１】
撮影装置によって撮影して得られた画像ファイルを受付けるクライアント端末と前記クライアント端末から送信された前記画像ファイルを管理するファイル管理装置とからなるファイル管理システムにおいて実行されるプログラムであって、
前記クライアント端末を、
所有者情報と、前記画像ファイルとの送信を行う送信手段と、
前記ファイル管理装置の前記ファイル管理装置の第１の決定手段によって決定した前記所有者情報の画像ファイルと関連性のある前記異なる所有者情報の画像ファイルとの画像ファイル間の関連性を示すように当該画像ファイル間を対応付けて表示することを制御する表示手段と、
して機能させ、
前記ファイル管理装置を、
前記送信手段によって送信された所有者情報と、前記画像ファイルとを受信する受信手段と、
前記受信手段によって受信した所有者情報に対応して当該画像ファイルを記憶する記憶手段と、
前記所有者情報に対応して前記異なる所有者情報を記憶する対応情報記憶手段に記憶されている前記所有者情報と当該所有者情報に対応する異なる所有者情報とに基づいて、当該所有者情報に対応する画像ファイルと当該異なる所有者情報に対応する画像ファイルとを特定する画像ファイル特定手段と、
前記画像ファイル特定手段によって特定した前記所有者情報に対応する画像ファイル及び前記異なる所有者情報に対応する画像ファイルに対して、前記所有者情報の画像ファイルに関連性のある前記異なる所有者情報の画像ファイルを特定するために解析を行う解析手段と、
前記解析手段による解析に従って、前記所有者情報の画像ファイルに関連性のある前記異なる所有者情報の画像ファイルを決定する第１の決定手段と、
して機能させることを特徴とするプログラム。